(57)【要約】  上面６１０と、モータロータ面上に静止されるように構成された支持面６４０とを含むミラーアッセンブリ６００であり、その支持面は上面のほぼ中心にあり、ラスタ走査ポリゴンミラーを形成するために傾斜している。【選択図】    図６
2009537860.tif 000002
【特許請求の範囲】
【請求項１】
上面及び複数の外面と、モータのロータ面上に静止されるように構成された支持面とを備え、
該支持面が前記外面に平行な面に対して傾斜している走査用のミラーアッセンブリ。
【請求項２】
前記支持面が、前記ミラーアッセンブリの前記上面に対して鋭角に傾斜している請求項１に記載のミラーアッセンブリ。
【請求項３】
前記支持面の傾斜が、前記ミラーアッセンブリ内で完全に形成されている請求項１に記載のミラーアッセンブリ。
【請求項４】
傾斜した前記支持面が、前記ミラーアッセンブリの凹部内に組み込まれたくさびによって設けられている請求項１に記載のミラーアッセンブリ。
【請求項５】
前記支持面の前記傾斜が前記ミラーアッセンブリに成形されている請求項１に記載のミラーアッセンブリ。
【請求項６】
傾斜した前記支持面が、走査装置内の前記ミラーアッセンブリの回転によってラスタ走査を行うのに適している請求項１に記載のミラーアッセンブリ。
【請求項７】
前記外面はサイズを有しており、前記傾斜角が該外面のサイズの少なくとも一部によるラスタ走査のために最適化されている請求項１に記載のミラーアッセンブリ。
【請求項８】
複数の面からなる外周面と、
ロータの面上に搭載されるのに適した内部の支持面を有し、
該内部の支持面は、その支持面が前記ロータ上に設置されたとき、ポリゴンミラーを傾斜させるように構成されているポリゴンミラーアッセンブリ。
【請求項９】
上面及び外周面を有するミラーアッセンブリであって、
該ミラーアッセンブリは回転するように構成され、
前記ミラーアセンブリ内に引っ込んだロータ係合用界面を有し、
該ロータ係合用界面は前記外周面のほぼ中心にあり、前記上面に平行でない内面を有しているミラーアッセンブリ。
【請求項１０】
前記鋭角が、ラスタ走査のサイズの少なくとも１部に基づいてラスタ走査のために最適化されている請求項９に記載のミラーアッセンブリ。
【請求項１１】
前記ロータ係合用界面が、支持面と、該支持面から延びる側壁とを有している請求項９に記載のミラーアッセンブリ。
【請求項１２】
前記支持面は、前記上面に対して鋭角で傾斜している請求項１１に記載のミラーアッセンブリ。
【請求項１３】
前記側壁は、前記支持面に少なくともほぼ垂直である請求項１１に記載のミラーアッセンブリ。
【請求項１４】
前記側壁は、前記ミラーアッセンブリの前記上面に少なくともほぼ垂直である請求項１１に記載のミラーアッセンブリ。
【請求項１５】
前記ロータ係合用界面は、前記モータロータ上の少なくとも前記ミラーアセンブリをセットする部分を受け入れるように構成されている請求項１１に記載のミラーアッセンブリ。
【請求項１６】
１つ以上の除去可能なコアを受け入れるように構成された成形型を設け、
少なくとも１個のラスタ走査ポリゴンミラーを作るために前記成形型に第１のコアを設置し、
前記少なくとも１個のラスタ走査ポリゴンミラーを成形し、
前記第１のコアを除去し、
少なくとも１個の単走査ポリゴンミラーを作るために前記成形型に第２のコアを設置し、
前記少なくとも１個の単走査ポリゴンミラーを成形する、
各工程からなる方法。
【請求項１７】
各前記ラスタ走査ポリゴンミラーは、前記ミラー内の少なくともほぼ中心にロータ係合用界面を有しており、該ロータ係合用界面が前記ロータ上に搭載されたときにその表面を形成し、前記ポリゴンミラーが傾斜する請求項１６に記載の方法。
【請求項１８】
前記ロータ係合用界面が、前記ラスタ走査ポリゴンミラーの上面に対して鋭角に配向された支持面を有している請求項１７に記載の方法。
【発明の詳細な説明】
【技術分野】
【０００１】
この発明は走査装置に関し、より詳しくは回転ポリゴンミラーを使用する走査装置に関する。
【背景技術】
【０００２】
既存の走査装置は、ラスタ走査を実行するために、ロータに一度設置されたチルト回転ミラーアッセンブリへの種々な扱い方を含んでいる。図１に示す１つの従来技術の構成では、傾斜角を設けるために傾斜したロータ面を設ける。図２に示す他の従来技術の構成では、そのミラーを傾けるために、そのロータ上にくさび形スペーサを配置している。
【発明の概要】
【発明が解決しようとする課題】
【０００３】
しかしながら、これまでに走査装置内に貴重なスペースを得るために実行された解決策は、追加部品を必要とし、実行するには厄介なものである。従って、走査装置がラスタ走査を可能にするようにミラーに傾斜角を設けるための技術的に進歩した装置及び方法が必要である。
【課題を解決するための手段】
【０００４】
１つの実施例によれば、上面とモータロータ面上に静止するように形成された支持面とを含むミラーアッセンブリが設けられ、その支持面は上面のほぼ中心にあり、その上面によって形成される平面に対して鋭角に傾斜している。その支持面は上記ミラーアッセンブリの上面に対して鋭角に傾斜しているのが好ましい。その支持面の傾斜が上記ミラーアッセンブリ内に完全に形成されるのがよい。その傾斜した支持面は、上記ミラーアッセンブリの凹部に組み込まれたくさびによって設けられるとよい。その支持面の傾斜が上記ミラーアッセンブリにモールド成形されてもよい。
【０００５】
その傾斜した支持面は、走査装置内の上記ミラーアッセンブリの回転によるラスタ走査をするのに適するようにするとよい。その傾斜角の少なくとも一部が、その面の高さ及びポリゴンの直径によって最適化されるとよい。その支持面は、ロータ面を受け入れるためにロータ係合用界面(rotor engagement interface)の一部を形成しており、上記ミラーアッセンブリは、ポリゴンミラーが組み込まれたときにそのロータの縦軸に対して傾斜するとよい。
【０００６】
別の特徴により、上面と外周面(perimeter)を含むミラーアセンブリを設ける。そのミラーアセンブリは回転するように構成され、ロータ係合用界面を有し、それが上記ミラーアセンブリ内の凹部にあり、そのロータ係合用界面が外周面のほぼ中心にあり、上記ミラーアッセンブリの上面に平行ではない面を形成しており、その上面に対して鋭角を形成している。その鋭角は、上記ポリゴンミラーの直径とそのミラー面のサイズに基づいて最適化されるとよい。上記ロータ係合用界面は、支持面及びその支持面から延びる側壁を有しているとよい。
【０００７】
その支持面は上記上面に対して鋭角に傾斜しているとよい。上記側壁は支持面に対して少なくともほぼ直角である。上記側壁はミラーアッセンブリの上面に対して少なくともほぼ直角であるのがよい。上記ロータ係合用界面は、上記ミラーアッセンブリをその上に設置するモータロータの少なくとも一部を受け入れるように構成されている。
【０００８】
さらに別の特徴により、１つ以上の除去可能コアを受け入れるように構成された成形型を設け、少なくとも１つのラスタ走査ポリゴンミラーを作るためのモールド用の第１のコアを設置し、少なくとも１つのラスタ走査ポリゴンミラーをモールド成形し、上記第１のコアを除去し、少なくとも１つのシングル走査ポリゴンミラーを作るためのモールド用の第２のコアを設置し、少なくとも１つのシングル走査ポリゴンミラーをモールド成形することを含む方法を提供する。各ラスタ走査ポリゴンミラーは、少なくとも上記ミラー内のほぼ中心にロータ係合用界面を有する。
【０００９】
ここに、この発明の好ましい実施例の記載が添付図面を用いてなされたとき、それら以外の態様、特徴及び利点等も当業者には明らかになるであろう。
この発明の種々の態様を例証するために、それらは現在好ましい図の形で示されるが、この発明は図示された明確な配置や手段に制限されないことは理解されるであろう。
【図面の簡単な説明】
【００１０】
【図１】既存の走査装置の分解斜視図である。
【図２】別の既存の走査装置の正面図である。
【図３】この発明の１つ以上の実施例への使用に適し得る走査装置の斜視図である。
【図４】この発明の１つ以上の実施例への使用に適し得るミラーアッセンブリの斜視図である。
【図５】この発明の１つ以上の実施例による単走査動作に使用するミラーアッセンブリの側面図である。
【図６】この発明の１つ以上の実施例によるラスタ走査動作に使用するミラーアッセンブリの側面図である。
【図６Ａ】この発明の１つ以上の他の実施例によるラスタ走査動作に使用するミラーアッセンブリの側面図である。
【図６Ｂ】この発明の１つ以上の他の実施例による単操作動作ミラーアッセンブリに使用するミラーアッセンブリの側面図である。
【００１１】
【図７】この発明の１つ以上の実施例に使用することができるモータアッセンブリの側面図である。
【図８】この発明の１つ以上の実施例による図５に示した単走査ミラーアッセンブリが搭載された図７に示したモータアッセンブリの側面図である。
【図９】この発明の１つ以上の実施例による図６に示したラスタ走査ミラーアッセンブリが搭載された図７に示したモータアッセンブリの側面図である。  図９はこの発明の１つ以上の実施例によりその上に配置した図６のラスタ走査ミラーアッセンブリを備えた図７のモータアッセンブリの側面図である。
【図１０】この発明の１つ以上の実施例による光路を示す走査装置の平面図である。
【００１２】
【図１１】この発明の１つ以上の実施例による単走査モードで動作しているときの光路を示す図１０の走査装置の側面図である。
【図１２】この発明の１つ以上の実施例によるラスタ走査モードで動作しているときの光路を示す図１０の走査装置の側面図である。
【図１３Ａ】この発明の１つ以上の実施例によるクランプ状態における成形型の構造を示す斜視図である。
【図１３Ｂ】この発明の１つ以上の実施例による開放状態における図１３Ａの成形型の構造を示す分解斜視図である。
【図１４Ａ】この発明の１つ以上の実施例によるクランプ状態における成形型の構造を示す側面図である。
【図１４Ｂ】この発明の１つ以上の実施例によって単走査ポリゴンミラーを成形するためのコアの開放状態における図１４Ａの成形型の構造を示す側面図である。
【図１４Ｃ】この発明の１つ以上の実施例によってラスタ走査ポリゴンミラーを成形するためのコアの開放状態における図１４Ａの成形型の構造を示す側面図である。
【図１５Ａ】この発明の１つ以上の実施例にによって単走査ポリゴンミラーを成形するための交換可能なコアを示す側面図である。
【図１５Ｂ】この発明の１つ以上の実施例に基づくラスタ走査ポリゴンミラーを成形するための交換可能なコアを示す側面図である。
【発明を実施するための形態】
【００１３】
図４はこの発明の１つ以上の実施例で使用し得るミラーアッセンブリ４００の斜視図である。ミラーアッセンブリ４００は本体４０２とその本体４０２の周囲面に配置された複数の面４３０とを含んでいる。ミラーアッセンブリ４００の種々の構造が、図５，図６，および図６Ａの実施例に関して述べられる。
【００１４】
図５はこの発明の１つ以上の実施例による単走査動作に使用するミラーアッセンブリ５００の側面図である。ミラーアッセンブリ５００は、本体５０２、上面（上側の面）５１０、周囲面５２２を有する周囲５２０、１つ以上のミラー面５３０、および支持面５４０を含んでいる。
【００１５】
支持面５４０は走査装置内のモータ上に配置されるミラーアッセンブリ５００上に配置され、モータのロータ面と接触するとよい。図５に示したものを含む１つ以上の実施例において、支持面５４０は上面５１０に平行で、外周面５２２に垂直であるのが好ましい。従って、支持面５４０は走査装置内で使用した時、ミラーアッセンブリ５００を図５に示すように、図５における垂直に対して少なくともほぼ直交するのが望ましく、それにより、走査装置の単走査動作に備える。図８に示すように、ロータ上に設置された時、ロータの縦軸は支持面５４０に対して垂直になる。
【００１６】
図６はこの発明の１つ以上の実施例によるラスタ走査動作に使用するミラーアッセンブリ６００の側面図である。ミラーアッセンブリ６００は本体６０２、上面６１０、周囲６２０、外周面６２２、１つ以上のミラー面６３０、およびロータ係合用界面６５０とを含んでいる。ロータ係合用界面６５０は支持面６４０及び側壁６５２を有している。ロータ係合用界面６５０はロータ係合用界面軸６７０を有している。
【００１７】
ミラーアッセンブリ６００は、好ましくは外周面６２２に平行な外周軸６６０を有している。走査装置内のミラーアッセンブリ６００の回転はそれによるラスタ走査動作に備える。単走査及びラスタ走査のミラーアッセンブリの実施例の幾何学的見地による以下の説明は、全て図５、図６及び図６Ａによる。
【００１８】
１つ以上の実施例において、ミラーアッセンブリ５００が回転されたとき、単走査走査装置の動作がなされる。このような実施例において、外周面５２２はロータ面上に設置された時（図８参照）、走査装置内に垂直な方向にするとよい。
【００１９】
単走査走査装置の実施が、図５の実施例のように、外周面５２２に垂直に（又は少なくともほぼ垂直に）支持面５４０を設けることによって、達成される。上面５１０は周囲面５２２に垂直であるのが望ましく、支持面５４０が外周面５２２に垂直なのは、支持面５４０と上面５１０とが平行であることの結果であるとよい。
【００２０】
この明細書における背景技術で簡単に説明したように、図５に示す状態に形成された傾斜ミラーアッセンブリ５００もラスタ走査を実行するために使用することができる。具体的には、図７から図１２に示すように配置された走査装置内で使用されたとき、ミラーアッセンブリの外周面の非垂直状態は、水平方向のレーザ光（図７から図１２に示すように）と共に使用されたときに、ラスタ走査を実行するのに有効であろう（図７から図１２に示したそれのように）。上記のことはここに記載した種々の実施例に適用できるが、この発明は図７から図１２に示したように配置された走査装置と共に使用することに限定するものではない。以下の説明は、この発明の一つ以上の実施例によってラスタ走査を実行する傾斜ミラーアセンブリによる方法について述べる。
【００２１】
１つ以上の実施例において、図６に示したように、外周面６２２の配置に対する支持面６４０の配置を変えることによって、適切な傾斜角が実現され、そのため、これら２つの面はもはや互いに直交しないことになる。その後、支持面６４０が好ましくは水平なロータ面７５２（図９）上に配置されると、その外周面６２２は垂直方向に対して鋭角に配向（傾斜）し、上記のようにミラーアッセンブリ６００を使用することによってラスタ走査が可能になる。
【００２２】
１つ以上の実施例において、支持面６４０が上面６１０及び／又は外周面６２２に垂直な面に対して傾斜する角度は、任意の鋭角でよい。あるいは、これは上記ポリゴンミラーが一旦配設されるとロータの縦軸がポリゴンミラーに直交しない状況を作ることによって実行され記載される。
【００２３】
この傾斜角はポリゴンの直径及びミラー面のサイズに基づいて最大限大きくすることができる。支持面６４０の傾斜角が、図６に見られるように、図５における支持面５４０の配向との比較で時計回り又は反時計回りの場合があることに留意されたい。走査装置（図９）に搭載されているミラーアッセンブリ６００の配向の変化は、支持面６４０の傾斜角と同じ大きさを有し、反対の方向であることは、図６と図９を見れば判るであろう。
【００２４】
また、支持面６４０の上記「傾斜」は、支持面６４０が上面６１０に平行であることかはずれることを表わすといってもよい。しかしながら、支持面６４０と上面６１０との非平行は必須のことではなく、ラスタ走査動作を実行するためには、図９の走査装置アッセンブリ内において垂直でない外周面６２２の存在が必要である。
【００２５】
支持面６４０の非傾斜状態（すなわち単走査動作に使用されるとき）に対する傾斜角は２本のライン又は軸の間の角度として表わすことができる。図６においては、ライン６７０は支持面６４０に垂直なラインであり、ライン６６０は図６において垂直であり、図９のように走査装置に組み込まれたミラーアッセンブリ６００の上面６１０にほぼ垂直である。この明細書の他の部分でも述べているように、ライン６６０と６７０の間の角度６８０は支持面６４０の「傾斜角」に対応している。
【００２６】
また表面９０１と９０２は、ロータの側面に平行になるように傾斜される。このように、図９に示されるロータと側壁９０１と及び９０２との間のスペースは無くして、ぴったり嵌合させることができる。さもなければ、ポリゴンミラー４００は回転軸に堅く固定することによって固定位置に維持され得る。
【００２７】
図６の実施例において、支持面６４０は上面６１０及び全体としてミラーアッセンブリ６００に対してほぼ中心にあるのが好ましい。しかしながら、他の実施例においては、支持面６４０は上述したように中心にあることは必ずしも必要ではない。
図６は傾斜した支持面６４０が好ましくミラーアッセンブリ６００の本体６０２内に完全に形成されている実施例を示している。支持面６４０はミラーアッセンブリ６００の本体６０２に単一成形部を作ることによって設けられる。しかしながら、支持面６４０及びミラーアッセンブリ６００は他の手段によって製造されてもよく、そのような種々の変更はこの発明の範囲内に含まれる。
【００２８】
１つ以上の実施例において、ミラーアッセンブリ６００は、走査装置内のモータ上に、ミラーアッセンブリ６００が搭載あるいは組み付けられた場合に、ロータ面の少なくとも１部分を受け入れるためにロータ係合用界面６５０を有している。ロータ係合用界面６５０は、支持面６４０と側壁６５２を含んでいる。側壁６５２は、ミラーアッセンブリ６００が組み付けられたロータの周囲にほぼ嵌合する寸法であるのがよい。１つ以上の実施例において、側壁６５２は、少なくとも上面６１０にほぼ垂直である。１つ以上の他の実施例において、側壁６５２は少なくとも支持面６４０にほぼ垂直である。側壁６５２の配向にかかわらず、ロータ係合用界面の軸６７０は支持面６４０の平面に垂直なラインに沿っているのが望ましい。
【００２９】
図６Ａはこの発明の１つ以上の他の実施例によるラスタ走査動作に使用するためのミラーアッセンブリ６９０の側面図である。この実施例においては、傾斜した支持面６９４は、ミラーアッセンブリ６９０の本体自体に傾斜面を形成するのではなく、くさび形差し込み（くさび）６９２の使用によって設けられる。図６Ａのその他の特徴は、図５の実施例に関するものと実質的に同様である。従って、簡潔にするために、これらの共通の特徴の記述はこのセクションには含めない。
【００３０】
１つ以上の実施例において、図６Ａに示すように、くさび６９２がミラーアッセンブリ６９０の本体の凹部に組み込まれると、傾斜した支持面６９２がミラーアッセンブリ６９０の本体を変更することなく設けられる。図６Ａの実施例は、走査装置の単走査及びラスタ走査操作の両方のためにモールド成形されたミラーアッセンブリは一つのタイプだけを使用すればよいという効果を奏する。この実施例においては、単走査動作からラスタ走査動作へ移行するには、ミラーアッセンブリ６９０の本体内にくさび６９２を挿入することを含んでいる。反対に、ラスタ走査動作から単走査動作へ移行するには、ミラーアッセンブリ６９０からくさび６９２を取り去ることを含んでいる。
【００３１】
別の他の実施例においては、図６Ｂに示すように、くさび６９２をミラーアッセンブリ６８２と関連して使用でき、そのミラーアッセンブリ６８２の構成はミラーアッセンブリ６００と同様である（図６）。この実施例において、ミラーアッセンブリ６８２は、くさび６９２なしで走査装置へ組み付けられることによって、ロータ面に傾斜した支持面６４０が存在し、ラスタ走査動作のために適するように構成される。図６Ｂに示すように、くさび６９２がミラーアッセンブリ６８２の本体内の凹部に組み込まれると、くさび６９２上の支持面６９４は外周面６２２に垂直になり、従って、単走査動作に適している。
【００３２】
以下に、上述したミラーアッセンブリの実施例を製造するために使用される単走査及びラスタ走査ミラーを成形するための装置及び方法について述べる。
図１３Ａは、この発明の１つ以上の実施例によるクランプされた状態における成形型構造１３００の斜視図である。図１３Ｂはこの発明の１つ以上の実施例による開放状態における成形型構造１３００の分解斜視図である。図１５Ａに示すコア１５００又は図１５Ｂに示すコア１５５０のいずれかが図１３に示す成形型内に配置され得る。
【００３３】
図１４はこの発明の１つ以上の実施例によりミラーアッセンブリを作るため使用されるクランプ状態と開放状態の両方の成形型構造を示す側面図である。図１４Ａはこの発明の１つ以上の実施例による単走査ミラーアッセンブリ本体を作るために適したコアをその中に有しているクランプ状態にある成形型の側面図である。図１４Ｂはこの発明の１つ以上の実施例による単走査ミラーアッセンブリ本体を作るために適したコアをその中に有する開放状態にある成形型を示している。図１４Ｃはこの発明の１つ以上の実施例によるラスタ走査ミラーアッセンブリ本体を作るのに適したコアをその中に有する開放状態にある成形型を示している。
【００３４】
図１５Ａは、単走査ミラーアッセンブリ本体、言い換えると、単走査ポリゴンミラーを成形するのに適した交換可能なコアを示している。図１５Ｂは、ラスタ走査ミラーアッセンブリ本体、言い換えると、ラスタ走査ポリゴンミラーを成形するのに適した交換可能なコアを示している。
【００３５】
この発明を特定の実施例によって説明したが、これらの実施例はこの発明の原理及び応用形態を説明しているにすぎないことを理解されたい。従って、特許請求の範囲によって規定されるこの発明の精神及び範囲から逸脱することなく、上述した実施例について種々の変更を行ったり、他の構成がなされ得ることを理解されたい。
【図１】
2009537860.tif 000003
【図２】
2009537860.tif 000004
【図３】
2009537860.tif 000005
【図４】
2009537860.tif 000006
【図５】
2009537860.tif 000007
【図６】
2009537860.tif 000008
【図６Ａ】
2009537860.tif 000009
【図６Ｂ】
2009537860.tif 000010
【図７】
2009537860.tif 000011
【図８】
2009537860.tif 000012
【図９】
2009537860.tif 000013
【図１０】
2009537860.tif 000014
【図１１】
2009537860.tif 000015
【図１２】
2009537860.tif 000016
【図１３Ａ】
2009537860.tif 000017
【図１３Ｂ】
2009537860.tif 000018
【図１４Ａ】
2009537860.tif 000019
【図１４Ｂ】
2009537860.tif 000020
【図１４Ｃ】
2009537860.tif 000021
【図１５Ａ】
2009537860.tif 000022
【図１５Ｂ】
2009537860.tif 000023
【手続補正書】
【提出日】平成21年5月14日(2009.5.14)
【手続補正１】
【補正対象書類名】明細書
【補正対象項目名】全文
【補正方法】変更
【補正の内容】
【発明の詳細な説明】
【技術分野】
【０００１】
この発明は走査装置に関し、より詳しくは回転ポリゴンミラーを使用する走査装置に関する。
【背景技術】
【０００２】
既存の走査装置は、ラスタ走査を実行するために、ロータに設置されたチルト回転ミラーアッセンブリの種々な扱い方を含んでいる。図１に示す１つの従来技術の構成では、回転ミラー１に傾斜角を設けるために傾斜したロータ面１４を設ける。図２に示す他の従来技術の構成では、回転ミラー１を角度θだけ傾けるために、ロータ２２上にくさび形スペーサ３１を配置している。
【発明の概要】
【発明が解決しようとする課題】
【０００３】
しかしながら、これまでに走査装置内に貴重なスペースを得るために実行された解決策は、追加部品を必要とし、実行するには厄介なものである。従って、走査装置がラスタ走査を可能にするようにミラーに傾斜角を設けるための技術的に進歩した装置及び方法が必要である。
【課題を解決するための手段】
【０００４】
１つの実施例によれば、上面とモータのロータ面上に静止するように形成された支持面とを含むミラーアッセンブリが設けられ、その支持面は上面のほぼ中心にあり、その上面によって形成される平面に対して鋭角に傾斜している。その支持面は上記ミラーアッセンブリの上面に対して鋭角に傾斜しているのが好ましい。その支持面の傾斜が上記ミラーアッセンブリ内に完全に形成されるのがよい。その傾斜した支持面は、上記ミラーアッセンブリの凹部に組み込まれたくさびによって設けられるとよい。その支持面の傾斜が上記ミラーアッセンブリにモールド成形されてもよい。
【０００５】
その傾斜した支持面は、走査装置内の上記ミラーアッセンブリの回転によるラスタ走査をするのに適するようにするとよい。その傾斜角の少なくとも一部が、その面の高さ及びミラーアッセンブリによるポリゴンミラーの直径によって最適化されるとよい。その支持面は、ロータ面を受け入れるためにロータ係合用界面(rotor engagement interface)の一部を形成しており、上記ミラーアッセンブリは、それが走査装置内にポリゴンミラーとして組み込まれたときにそのロータの軸に対して傾斜するとよい。
【０００６】
別の特徴により、上面と外周面(perimeter)を含むミラーアセンブリを設ける。そのミラーアセンブリは回転するように構成され、ロータ係合用界面を有し、それが上記ミラーアセンブリ内の凹部にあり、そのロータ係合用界面が外周面のほぼ中心にあり、上記ミラーアッセンブリの上面に平行ではない面を形成しており、その上面に対して鋭角を形成している。その鋭角は、上記ミラーアッセンブリによるポリゴンミラーの直径とそのミラー面のサイズに基づいて最適化されるとよい。上記ロータ係合用界面は、支持面及びその支持面から延びる側壁を有しているとよい。
【０００７】
その支持面は上記上面に対して鋭角に傾斜しているとよい。上記側壁は支持面に対して少なくともほぼ直角である。上記側壁はミラーアッセンブリの上面に対して少なくともほぼ直角であるのがよい。上記ロータ係合用界面は、上記ミラーアッセンブリをその上に設置するモータロータの少なくとも一部を受け入れるように構成されている。
【０００８】
さらに別の特徴により、１つ以上の除去可能コアを受け入れるように構成された成形型を設け、少なくとも１つのラスタ走査用のポリゴンミラーを作るためのモールド用の第１のコアを設置し、少なくとも１つのラスタ走査用のポリゴンミラーをモールド成形し、上記第１のコアを除去し、少なくとも１つの単走査用のポリゴンミラーを作るためのモールド用の第２のコアを設置し、少なくとも１つの単走査用のポリゴンミラーをモールド成形することを含む方法を提供する。各ラスタ走査用のポリゴンミラーは、少なくとも上記ミラー内のほぼ中心にロータ係合用界面を有する。
【０００９】
ここに、この発明の好ましい実施例の記載が添付図面を用いてなされたとき、それら以外の態様、特徴及び利点等も当業者には明らかになるであろう。
この発明の種々の態様を例証するために、それらは現在好ましい図の形で示されるが、この発明は図示された明確な配置や手段に制限されないことは理解されるであろう。
【図面の簡単な説明】
【００１０】
【図１】既存の走査装置の分解斜視図である。
【図２】別の既存の走査装置の正面図である。
【図３】この発明の一実施例である走査装置の斜視図である。
【図４】その走査装置に使用するミラーアッセンブリの斜視図である。
【図５】この実施例による単走査に使用するミラーアッセンブリの側面図である。
【図６】この実施例によるラスタ走査に使用するミラーアッセンブリの側面図である。
【図７】ラスタ走査に使用する他のミラーアッセンブリの簡略化した断面図である。
【図８】単走査に使用する他のミラーアッセンブリの簡略化した断面図である。
【００１１】
【図９】この発明の実施例に使用するモータの例を示す側面図である。
【図１０】図５に示した単走査用のミラーアッセンブリが搭載された図７に示したモータアッセンブリの側面図である。
【図１１】図６に示したラスタ走査用のミラーアッセンブリが搭載された図９に示したモータアッセンブリの側面図である。
【図１２】この発明の図３に示した実施例による光路を示す走査装置の平面図である。
【００１２】
【図１３】単走査モードで動作しているときの光路を示す図１２の走査装置の側面図である。
【図１４】ラスタ走査モードで動作しているときの光路を示す図１２の走査装置の側面図である。
【図１５】この発明の実施例に使用するポリゴンミラーを成形するためのクランプ状態における成形型の構造を示す斜視図である。
【図１６】開放状態における図１５の成形型の構造を示す分解斜視図である。
【図１７】同じくクランプ状態における成形型の構造を示す側面図である。
【図１８】単走査用のポリゴンミラーを成形するためのコアが内部に配置された開放状態における図１７の成形型の構造を示す側面図である。
【図１９】ラスタ走査用のポリゴンミラーを成形するためのコアが内部に配置された開放状態における図１７の成形型の構造を示す側面図である。
【図２０】単走査用のポリゴンミラーを成形するための交換可能なコアを示す側面図である。
【図２１】ラスタ走査用のポリゴンミラーを成形するための交換可能なコアを示す側面図である。
【発明を実施するための形態】
【００１３】
以下に、この発明を実施するための好ましい実施の形態を説明する。
図３はこの発明の一実施例である走査装置の斜視図であり、図１２はその平面図である。この走査装置は、モータプリント基板１００に支持されたモータ１０１によってポリゴンミラー１０２が回転される。モータプリント基板１００には集光レンズ１０４を備えたレーザダイオード１０３と偏向ミラー１０５も支持されている。そのレーザダイオード１０３から集光レンズ１０４を通して出射されるレーザ光線が偏向ミラー１０５でポリゴンミラー１０２に向けて反射され、回転するポリゴンミラー１０２のミラー面によって反射されて、走査用のレーザ光線１０６となる。
図１３はのこの走査装置が単走査モードで動作しているときの光路を示す側面図であり、図１４はこの走査装置がラスタ走査モードで動作しているときの光路を示す側面図である。
図４は、図３及び図１２から図１４に示した実施例の走査装置におけるポリゴンミラー１０２として使用し得るミラーアッセンブリ４００の斜視図である。このミラーアッセンブリ４００は本体４０２とその本体４０２の周囲面である外周面に配置された複数のミラー面４３０とを含んでいる。このミラーアッセンブリ４００の種々の異なる構造例が、図５から図８に示される。
【００１４】
図５はこの発明による走査装置において単走査に使用するミラーアッセンブリ５００の側面図である。このミラーアッセンブリ５００は、本体５０２、上面（上側の面）５１０、外周面５２２を有する周囲５２０、１つ以上のミラー面５３０、およびモータのロータとの接触面である支持面５４０を含んでいる。
【００１５】
支持面５４０は走査装置内のモータ上に配置されるミラーアッセンブリ５００に設けられ、モータのロータ面と接触する。図５に示したものを含む１つ以上の実施例において、支持面５４０は上面５１０に平行で、外周面５２２に垂直であるのが好ましい。従って、このミラーアッセンブリ５００を図１０に示すように、モータ１０１のロータ面１１１上に設置した時、ロータ１１０の軸は支持面５４０に対して垂直になる。それにより走査装置は単走査動作に備える。
【００１６】
図６はこの発明による走査装置においてラスタ走査に使用するミラーアッセンブリ６００の側面図である。このミラーアッセンブリ６００は本体６０２、上面６１０、周囲６２０、外周面６２２、１つ以上のミラー面６３０、およびロータ係合用界面６５０とを含んでいる。ロータ係合用界面６５０はモータのロータとの傾斜接触面である支持面６４０及び側壁６５２を有している。ロータ係合用界面６５０はロータ係合用界面軸線６７０を有している。
【００１７】
このミラーアッセンブリ６００は、好ましくは外周面６２２に平行な外周軸線６６０を有している。走査装置内のこのミラーアッセンブリ６００の回転はそれによるラスタ走査動作に備える。単走査及びラスタ走査のミラーアッセンブリの実施例の以下の説明は、全て図５から図１４による。
図９はこの発明の実施例に使用するモータの例を示す側面図である。このモータ１０１はモータプリント基板１００に支持され、ステータコイル１２０、ステータ軸１２１、ロータ面１１を有するロータ１１０、およびロータベアリング１１２から構成されている。
【００１８】
図５に示したミラーアッセンブリ５００が回転されたとき、走査装置によって単走査動作がなされる。このような実施例において、ミラーアッセンブリ５００が図９に示したモータ１０１のロータ面１１１上に設置された時（図１０参照）、外周面５２２は走査装置内で垂直な方向になる。
【００１９】
単走査は、図５に示したように、ミラーアッセンブリ５００の支持面５４０を外周面５２２に垂直に（又は少なくともほぼ垂直に）設けることによって達成される。上面５１０は外周面５２２に垂直であるのが望ましく、支持面５４０が外周面５２２に垂直なのは、支持面５４０と上面５１０とが平行であることの結果である。
【００２０】
この明細書における背景技術で簡単に説明したように、図５に示すように形成されたミラーアッセンブリ５００もラスタ走査を実行するために使用することができる。具体的には、図９から図１４に示すように配置された走査装置内で使用されたとき、ミラーアッセンブリの外周面の非垂直状態が、水平方向のレーザ光と共に使用されたときに、ラスタ走査を実行するのに有効で。このことはここに記載した種々の実施例に適用できるが、この発明は図９から図１４に示したように配置された走査装置と共に使用することに限定するものではない。
以下の説明は、この発明の実施例によってラスタ走査を実行する傾斜したミラーアセンブリによる方法について述べる。
【００２１】
この発明の実施例において、図６に示したように、外周面６２２の配置に対する支持面６４０の配置を変えることによって、適切な傾斜角が実現され、そのため、これら２つの面は互いに直交しないことになる。このミラーアセンブリ６００の支持面６４０が好ましくは水平なロータ面１１１（図１１）上に配置されると、その外周面６２２は垂直方向に対して鋭角に傾斜し、このミラーアッセンブリ６００を使用することによってラスタ走査が可能になる。
【００２２】
このミラーアセンブリ６００の支持面６４０が上面６１０及び／又は外周面６２２に垂直な面に対して傾斜する角度は、任意の鋭角でよい。この傾斜によって、図１１に示すようにポリゴンミラーであるミラーアセンブリ６００がモータ１０１のロータ面１１１上に配設されると、ロータ１１０の軸がミラーアセンブリ６００の上面６２０に直交しない状況を作る。これによってラスタ走査が実行される。
【００２３】
この傾斜角はミラーアセンブリ６００の直径及びミラー面６３０のサイズに基づいて最大限大きくすることができる。支持面６４０の傾斜角が、図６に見られるように、図５における支持面５４０と比較して時計回り又は反時計回りの場合があることに留意されたい。走査装置（図１１）に搭載されているミラーアッセンブリ６００の配向の変化は、支持面６４０の傾斜角と同じ大きさを有し、反対の方向であることは、図６と図１１を見れば判るであろう。
【００２４】
また、支持面６４０の上記「傾斜」は、支持面６４０が上面６１０に平行でなくなることを示すといってもよい。しかしながら、支持面６４０と上面６１０との非平行は必須のことではなく、ラスタ走査動作を実行するためには、図１１の走査装置内においてミラーアセンブリ６００の垂直でない外周面６２２が必要なのである。
【００２５】
支持面６４０の非傾斜状態（すなわち単走査に使用されるとき）に対する傾斜角は２本のライン又は軸線の間の角度として表わすことができる。図６においては、ライン６７０は支持面６４０に垂直なロータ係合用界面軸線であり、ライン６６０は図６において垂直な外周軸線であり、図１１のように走査装置に組み込まれたミラーアッセンブリ６００の上面６１０にほぼ垂直である。この明細書の他の部分でも述べているように、軸線６６０と６７０の間の角度６８０は支持面６４０の「傾斜角」に対応している。
【００２６】
また、図１１に示す側壁９０１と９０２の表面は、ロータ１１０の側面に平行になるように支持面６４０に対して傾斜される。このようにすれば、図１１に示されるロータ１１０と側壁９０１と及び９０２との間のスペースを無くして、ぴったり嵌合させることができる。さもなければ、ミラーアッセンブリ６００はモータ１０１の回転軸に堅く固定される。
【００２７】
図６の実施例において、支持面６４０はその中心が、上面６１０及び全体としてミラーアッセンブリ６００に対してほぼ中心にあるのが好ましい。しかしながら、他の実施例においては、支持面６４０の中心は上述したようにミラーアッセンブリ６００のほぼ中心にあることは必ずしも必要ではない。
図６は傾斜した支持面６４０がミラーアッセンブリ６００の本体６０２内に完全に形成されている好ましい実施例を示している。支持面６４０はミラーアッセンブリ６００の本体６０２に単一成形部を作ることによって設けられる。しかしながら、支持面６４０及びミラーアッセンブリ６００は他の手段によって製造されてもよく、そのような種々の変更はこの発明の範囲内に含まれる。
【００２８】
図６に示す実施例において、ミラーアッセンブリ６００が図１１に示すように走査装置内のモータ１０１上に搭載あるいは組み付けられた場合に、ロータ面の少なくとも１部分を受け入れるためにロータ係合用界面６５０を有している。ロータ係合用界面６５０は、支持面６４０と側壁６５２を含んでいる。側壁６５２は、ミラーアッセンブリ６００が組み付けられたときに、ロータ１１０の周囲にほぼ嵌合する寸法であるのがよい。この実施例において、側壁６５２は少なくとも上面６１０にほぼ垂直である。他の実施例において、側壁６５２は少なくとも支持面６４０にほぼ垂直であってもよい。側壁６５２の配向にかかわらず、ロータ係合用界面の軸線６７０は支持面６４０の平面に垂直なラインに沿っているのが望ましい。
【００２９】
図７はこの発明の他の実施例によるラスタ走査動作に使用するためのミラーアッセンブリ６９０の簡略化した断面図である。この実施例においては、傾斜した支持面６９４は、ミラーアッセンブリ６９０の本体自体に傾斜面を形成するのではなく、くさび形差し込み（くさび）６９２の使用によって設けられる。図７のその他の構成は、図５に示したものと実質的に同様である。従って、簡潔にするために、これらの共通の構成についてはここでは説明しない。
【００３０】
この実施例において、図７に示すように、くさび６９２がミラーアッセンブリ６９０の本体６９１の凹部に組み込まれると、傾斜した支持面６９４がミラーアッセンブリ６９０の本体６９１を変更することなく設けられる。図７の実施例は、走査装置の単走査及びラスタ走査の両方のために、モールド成形されたミラーアッセンブリは一つのタイプだけを使用すればよいという効果を奏する。この実施例においては、単走査動作からラスタ走査動作へ移行するには、ミラーアッセンブリ６９０の本体６９１内にくさび６９２を挿入することを含んでいる。反対に、ラスタ走査動作から単走査動作へ移行するには、ミラーアッセンブリ６９０からくさび６９２を取り去ることを含んでいる。
【００３１】
別の他の実施例においては、図８に示すように、くさび６９２をミラーアッセンブリ６８２と関連して使用でき、そのミラーアッセンブリ６８２の構成は図６に示したミラーアッセンブリ６００と同様である。この実施例において、ミラーアッセンブリ６８２は、くさび６９２なしで走査装置へ組み付けられることによって、ロータ面に対して傾斜した支持面６４０が存在し、ラスタ走査動作のために適するように構成される。図８に示すように、くさび６９２がミラーアッセンブリ６８２の本体６２２内の凹部に組み込まれると、くさび６９２の支持面６９５は外周面６２２に垂直になり、従って、単走査動作に適している。
【００３２】
以下に、上述したミラーアッセンブリとして単走査用及びラスタ走査用のポリゴンミラー成形するための装置及び方法について述べる。
図１５は、この発明に使用するポリゴンミラーを成形するためのクランプされた状態における成形型１３００の構造を示す斜視図である。図１６はその成形型１３００の開放状態を示す分解斜視図である。図２０に示すコア１５００又は図２１に示すコア１５５０のいずれかが、図１５及び図１６に示した成形型１３００内に配置される。
この成形型１３００は、可動保持板１３０１と、一対のサイドスライドコア１３０２，１３０３と、ゲート１３０５が形成されたキャビティプレート１３０４と、交換可能なコア１５００又は１５５０によって構成されている。
【００３３】
図１７及び図１８と図１９はこの成形型１３００のそれぞれクランプ状態と開放状態を示す側面図である。図１７は単走査用のポリゴンミラーを成形するために適したコア１５００をその中に有しているクランプ状態にある成形型１３００の側面図である。図１８は同じくその成形型１３００の開放状態を示している。図１９はラスタ走査用のポリゴンミラーを成形するのに適したコア１５５０をその中に有する成形型１３００の開放状態を示している。
【００３４】
図２０は、単走査用のミラーアッセンブリ本体、言い換えると、単走査用のポリゴンミラーを成形するのに適した交換可能なコア１５００を示している。図２１は、ラスタ走査用のミラーアッセンブリ本体、言い換えると、ラスタ走査用のポリゴンミラーを成形するのに適した交換可能なコア１５５０を示している。
【００３５】
この発明を特定の実施例によって説明したが、これらの実施例はこの発明の原理及び応用形態を説明しているにすぎないことを理解されたい。従って、特許請求の範囲によって規定されるこの発明の精神及び範囲から逸脱することなく、上述した実施例について種々の変更を行ったり、他の構成がなされ得ることを理解されたい。
【手続補正２】
【補正対象書類名】特許請求の範囲
【補正対象項目名】全文
【補正方法】変更
【補正の内容】
【特許請求の範囲】
【請求項１】
ロータを有するモータと、前記ロータに搭載されて回転されるミラーアッセンブリとを備え、
前記ミラーアッセンブリが、上面及び複数のミラー面を設けた外周面と、前記ロータ面上に静止される支持面とを有し、該支持面が前記上面に対して傾斜しており、前記複数のミラー面によってレーザ光線を反射させてラスタ走査するものである
ことを特徴とする走査装置。
【請求項２】
前記支持面が、前記ミラーアッセンブリの前記上面に対して鋭角に傾斜している請求項１に記載の走査装置。
【請求項３】
前記上面に対して傾斜した前記支持面が、前記ミラーアッセンブリ内で完全に形成されている請求項１又は２に記載の走査装置。
【請求項４】
傾斜した前記支持面が、前記ミラーアッセンブリの凹部内に組み込まれたくさびによって設けられている請求項１から３のいずれか一項に記載の走査装置。
【請求項５】
前記支持面の前記傾斜が前記ミラーアッセンブリに一体に成形されている請求項１から３のいずれか一項に記載の走査装置。
【手続補正３】
【補正対象書類名】図面
【補正対象項目名】全図
【補正方法】変更
【補正の内容】
【図１】
2009537860.tif 000024
【図２】
2009537860.tif 000025
【図３】
2009537860.tif 000026
【図４】
2009537860.tif 000027
【図５】
2009537860.tif 000028
【図６】
2009537860.tif 000029
【図７】
2009537860.tif 000030
【図８】
2009537860.tif 000031
【図９】
2009537860.tif 000032
【図１０】
2009537860.tif 000033
【図１１】
2009537860.tif 000034
【図１２】
2009537860.tif 000035
【図１３】
2009537860.tif 000036
【図１４】
2009537860.tif 000037
【図１５】
2009537860.tif 000038
【図１６】
2009537860.tif 000039
【図１７】
2009537860.tif 000040
【図１８】
2009537860.tif 000041
【図１９】
2009537860.tif 000042
【図２０】
2009537860.tif 000043
【図２１】
2009537860.tif 000044
【国際調査報告】
2009537860.tif 000045